(57)【要約】【課題】ホコリを雨水と共に太陽電池パネルから排除して太陽光の入射量を多くする太陽電池モジュールの提供。【解決手段】本発明に係る太陽電池モジュールは、太陽電池パネル、及び、それぞれ少なくとも１つの第１枠部材、第２枠部材、第１枠部材と第２枠部材とを着脱可能に連結する連結部材を含む。第１枠部材及び第２枠部材は、いずれも太陽電池パネルの縁部に組み合される。連結部材は、互いの間に隙間が形成される２つの上翼板、２つの上翼板に対向して設置される下翼板、２つの上翼板と下翼板とを連結する連結側板、及び、切欠き及び少なくとも１つのコーナを有する２つの連結端部を含む。切欠きは、隙間と共に排水溝を構成するように、コーナに位置して隙間と連通し、排水溝により太陽電池パネルの隅が露出される。連結端部は、連結部材が連結端部を介して第１枠部材と第２枠部材とを着脱可能に連結するように、それぞれ連結側板から延びて形成される。【選択図】図２Ａ
2015104309.tif 000002
【特許請求の範囲】
【請求項１】
太陽電池モジュールであって、
太陽電池パネルと、
前記太陽電池パネルの縁部に組み合わされる少なくとも１つの第１枠部材と、
前記太陽電池パネルの縁部に組み合わされる少なくとも１つの第２枠部材と、
少なくとも１つの連結部材と、を含み、
前記連結部材は、互いの間に隙間が形成される２つの上翼板と、前記２つの上翼板に対向して設置される下翼板と、前記２つの上翼板と前記下翼板とを連結する連結側板と、２つの連結端部とを含み、
前記連結側板は、切欠きと、少なくとも１つのコーナとを有し、
前記切欠きは、前記隙間と共に排水溝を構成するように、前記コーナに位置して前記隙間と連通し、前記排水溝により、前記太陽電池パネルの少なくとも１つの隅が露出され、
前記２つの連結端部は、前記連結部材が当該２つの連結端部を介して前記第１枠部材と前記第２枠部材とを着脱可能に連結するように、それぞれ前記連結側板から延びて形成されることを特徴とする太陽電池モジュール。
【請求項２】
前記連結部材の前記連結側板における前記コーナは、約９０度の交角を有することを特徴とする請求項１に記載の太陽電池モジュール。
【請求項３】
前記連結部材の前記２つの上翼板は、前記隙間に対して対称であることを特徴とする請求項１に記載の太陽電池モジュール。
【請求項４】
前記第１枠部材は、第１係止溝を有し、
前記第２枠部材は、第２係止溝を有し、
前記連結端部の一方は、前記第１係止溝に係合され、前記連結端部の他方は、前記第２係止溝に係合されることを特徴とする請求項１に記載の太陽電池モジュール。
【請求項５】
太陽電池モジュールであって、
太陽電池パネルと、
前記太陽電池パネルの縁部に組み合わされる少なくとも１つの第１枠部材と、
前記太陽電池パネルの縁部に組み合わされる少なくとも１つの第２枠部材と、
前記第１枠部材と前記第２枠部材とを着脱可能に連結する少なくとも１つの連結部材と、を含み、
前記連結部材は、
互いの間に隙間が形成される２つの上翼板と、
前記２つの上翼板に対向して設置される下翼板と、
前記２つの上翼板と前記下翼板とを連結して前記２つの上翼板及び前記下翼板と共に収容溝を規定する連結側板と、
少なくとも一部が前記収容溝中に配置され、前記第１枠部材と前記第２枠部材とを着脱可能に連結する連結部と、を含み、
前記連結側板は、切欠きと、少なくとも１つのコーナとを有し、
前記切欠きは、前記隙間と共に排水溝を構成するとともに、前記コーナに位置して前記隙間と連通し、前記排水溝により、前記太陽電池パネルの少なくとも１つの隅が露出されることを特徴とする太陽電池モジュール。
【請求項６】
前記連結部材の前記連結側板における前記コーナは、約９０度の交角を有することを特徴とする請求項５に記載の太陽電池モジュール。
【請求項７】
前記連結部は、それぞれ前記収容溝から突出し、互いに対向する２つの端部を有することを特徴とする請求項５に記載の太陽電池モジュール。
【請求項８】
前記第１枠部材は、第１係止溝を有し、
前記第２枠部材は、第２係止溝を有し、
前記連結部の前記２つの端部の一方は、前記第１係止溝に係合され、前記連結部の前記２つの端部の他方は、前記第２係止溝に係合されることを特徴とする請求項７に記載の太陽電池モジュール。
【請求項９】
前記連結部材の前記２つの上翼板は、前記隙間に対して対称であり、
前記連結部材は、前記２つの上翼板と前記下翼板との間に設置され且つ前記連結側板に連結される仕切板をさらに含み、
前記太陽電池パネルの一部は、前記連結部材の前記２つの上翼板と前記仕切板との間に配置されることを特徴とする請求項５に記載の太陽電池モジュール。
【請求項１０】
前記連結部材は、前記仕切板に連結される少なくとも１つの係合部をさらに含み、
前記連結部は、前記係合部によって前記収容溝に着脱可能に配置されることを特徴とする請求項９に記載の太陽電池モジュール。
【発明の詳細な説明】
【技術分野】
【０００１】
本発明は、太陽電池モジュールに関する。
【背景技術】
【０００２】
科学技術の進歩に伴い、人類のエネルギー需要はますます大きくなっている。しかし、限られた石油資源は、人類のエネルギー需要の増大に段々答えられなくなる。そのため、新エネルギーの研究開発が進められ、新エネルギーとして太陽エネルギーが開発、実用化されている。
【先行技術文献】
【特許文献】
【０００３】
【特許文献１】台湾実用新案第Ｍ４２０８４７号公報
【特許文献２】台湾特許公開第２０１００３０１７号公報
【特許文献３】台湾実用新案第Ｍ３８６６００号公報
【特許文献４】台湾実用新案第Ｍ３５９６４７号公報
【発明の概要】
【発明が解決しようとする課題】
【０００４】
太陽電池パネルは、太陽エネルギーを電力に変換することで、人々に必要な電力を供給することができる。十分な太陽光を採光するために、太陽電池パネルの多くは、太陽光が当たるような室外の場所に設置される。そのため、太陽パネルにはホコリが付着しやすくなる。雨水でホコリを排除できるものの、通常の太陽電池パネルがほとんど枠部材に被覆されるため、太陽電池パネルの縁部に階段のような段差が生じる。こうなると、雨水で除去されたホコリが太陽電池パネルの縁部に入り込んで太陽光の入射量を低減させるため、太陽電池パネルの変換効率が低くなる。
【０００５】
そこで、本発明は、上記従来の問題に鑑みてなされたものであり、ホコリを雨水と共に太陽電池パネルから排除して太陽光の入射量を多くするとともに、連結部材を容易に着脱可能な太陽電池モジュールを提供することを目的とする。
【課題を解決するための手段】
【０００６】
本発明の一態様に係る太陽電池モジュールは、太陽電池パネルと、少なくとも１つの第１枠部材と、少なくとも１つの第２枠部材と、少なくとも１つの連結部材とを含む。第１枠部材及び第２枠部材は、いずれも太陽電池パネルの縁部に組み合される。連結部材は、下翼板と、連結側板と、２つの上翼板と、２つの連結端部とを含む。２つの上翼板の間には、隙間が形成される。下翼板は、２つの上翼板に対向して設置される。連結側板は、２つの上翼板と１つの下翼板とを連結する。連結側板は、切欠き及び少なくとも１つのコーナを有する。切欠きは、隙間と共に排水溝を構成するように、コーナに位置して隙間と連通し、排水溝により、太陽電池パネルの少なくとも１つの隅が露出される。連結端部は、連結部材が連結端部を介して第１枠部材と第２枠部材とを着脱可能に連結するように、それぞれ連結側板から延びて形成される。
【０００７】
また、本発明の別の態様に係る太陽電池モジュールは、太陽電池パネルと、少なくとも１つの第１枠部材と、少なくとも１つの第２枠部材と、少なくとも１つの連結部材とを含む。第１枠部材及び第２枠部材は、いずれも太陽電池パネルの縁部に組み合わされる。連結部材は、第１枠部材と第２枠部材とを着脱可能に連結する。連結部材は、下翼板と、連結側板と、連結部と、２つの上翼板とを含む。２つの上翼板の間には、隙間が形成される。下翼板は、２つの上翼板に対向して設置される。連結側板は、２つの上翼板と下翼板とを連結して、２つの上翼板及び下翼板と共に収容溝を規定する。連結側板は、切欠き及び少なくとも１つのコーナを有する。切欠きは、隙間と共に排水溝を構成するように、コーナに位置して隙間と連通し、排水溝により、太陽電池パネルの少なくとも１つの隅が露出される。連結部は、少なくとも一部が収容溝に配置されるとともに、第１枠部材と第２枠部材とを着脱可能に連結する。
【発明の効果】
【０００８】
本発明では、連結部材が排水溝を有するため、雨水は排水溝に沿ってホコリと共に太陽電池モジュールから排除される。これにより、太陽電池パネルに入射した太陽光がホコリによって遮蔽されることなく、太陽電池モジュールを清潔に維持することができるほか、連結部材を容易に着脱することも可能である。
【図面の簡単な説明】
【０００９】
【図１】本発明の一実施形態に係る太陽電池モジュールの斜視図である。
【図２Ａ】図１に示す連結部材の正面図である。
【図２Ｂ】図１に示す連結部材の後面図である。
【図３】本発明の別の実施形態に係る太陽電池モジュールの斜視図である。
【図４】図３に示す連結部材の正面図である。
【図５Ａ】図４に示す連結部材の組立後の正面図である。
【図５Ｂ】図５Ａに示す連結部材の後面図である。
【発明を実施するための形態】
【００１０】
以下、図面を参照しながら、本発明の複数の実施形態について説明する。明確に説明するために、実務上の詳細を、以下でまとめて説明する。しかし、これら実務上の詳細は、決して本発明を限定するものではないことを了解すべきである。即ち、本発明の実施形態の一部において、これら実務上の詳細は必ずしも必要なものではない。なお、図面を簡略化するために、従来から慣用されている構造と部材については、図面に簡単に示している。
＜第１実施形態＞
【００１１】
図１は、本発明の一実施形態に係る太陽電池モジュールの斜視図である。太陽電池モジュールは、太陽電池パネル１００、少なくとも１つの第１枠部材２００、少なくとも１つの第２枠部材３００、及び少なくとも１つの連結部材４００を含む。第１枠部材２００及び第２枠部材３００は、いずれも太陽電池パネル１００の縁部に組み合わされる（縁部を覆う）。図１に示すように、太陽電池モジュールは、互いに対向して設置される一対の第１枠部材２００、及び互いに対向して設置される一対の第２枠部材３００を含んでもよい。連結部材４００は、第１枠部材２００と第２枠部材３００とを着脱可能に連結する。
【００１２】
図２Ａ及び図２Ｂを参照しながら説明する。図２Ａは、図１に示す連結部材４００の正面図であり、図２Ｂは、図１に示す連結部材４００の後面図である。より詳細に、連結部材４００は、下翼板４２０、連結側板４３０、２つの上翼板４１０、及び２つの連結端部４４２、４４４を含む。２つの上翼板４１０の間には、隙間４１２が形成される。下翼板４２０は、２つの上翼板４１０に対向して設置される。連結側板４３０は、２つの上翼板４１０と下翼板４２０とを連結し、切欠き４３２及び少なくとも１つのコーナ４３４を有する。切欠き４３２は、隙間４１２と共に排水溝４０４を構成するように、コーナ４３４に位置して隙間４１２と連通する。２つの連結端部４４２、４４４は、それぞれ連結側板４３０から延びて形成される。これにより、連結部材４００は、図１に示すように、連結端部４４２及び４４４を介して第１枠部材２００と第２枠部材３００とを着脱可能に連結する。
【００１３】
図１及び図２Ａを参照しながら説明する。具体的に、本実施形態の連結部材４００が排水溝４０４を有するため、太陽電池モジュールに付着されたホコリは、雨水によって排水溝４０４まで流され、さらに排水溝４０４に沿って雨水に伴って太陽電池モジュールから排除される。これにより、太陽電池モジュールを清潔に維持することができるほか、太陽電池パネル１００に入射した太陽光がホコリによって遮蔽されない。さらに、本実施形態の連結部材４００は、第１枠部材２００と第２枠部材３００とを着脱可能に連結するため、連結部材４００自身が破壊されたり、ホコリが連結部材４００の排水溝４０４に入り込んだりした場合でも、連結部材４００を第１枠部材２００及び第２枠部材３００から取り外して交換または洗浄するだけでよい。つまり、連結部材４００は着脱の利便性を有する。
【００１４】
一部の実施形態において、２つの連結端部４４２、４４４は、それぞれ同一の連結部材（図示せず）の両端部であってもよい。例えば、連結側板４３０は、２つの連結端部４４２、４４４が露出して連結側板４３０から延伸するように、連結部材の一部を被覆することが可能である。ここで、連結部材は、優れた構造強度を有する金属材であってもよい。連結側板４３０は、樹脂材であってもよく、射出成形により連結部材を被覆可能に形成されてもよい。また、上翼板４１０及び下翼板４２０は樹脂材であってもよいが、これに限定されない。
【００１５】
引き続き図２Ｂを参照しながら説明する。本実施形態において、連結部材４００の連結側板４３０のコーナ４３４は、約９０度の交角θ１を有する。即ち、連結側板４３０はＬ字状に形成されてもよい。また、図１に示すように、太陽電池パネル１００が矩形体の場合、連結部材４００に連結される第１枠部材２００及び第２枠部材３００の両方の延び方向は、約９０度で交差する。言い換えれば、連結部材４００は、太陽電池パネル１００の隅（角部）に配置されてもよい。この場合には、雨水及びホコリが太陽電池パネルの隅から排除されることができる。
【００１６】
図２Ｂに示すように、一部の実施形態において、連結部材４００の２つの上翼板４１０は、隙間４１２に対して対称である。隙間４１２は、実質的に平行になる両側縁を有する。このため、連結側板４３０のコーナ４３４の交角θ１が約９０度の場合、隙間４１２の延び方向４０３と、上翼板４１０のいずれの一方と連結側板４３０との隣接線４０６とのなす角度は約４５度である。ここで、隙間４１２の態様は、図２Ｂに示す態様に限定されない。他の実施形態において、２つの上翼板４１０のいずれも矩形であってもよい。即ち、隙間４１２は、切欠き４３２に近づくにつれて幅が広くなる。こうなることで、上翼板４１０の一端が尖端部になることを防止することができる。さらに、上翼板４１０はフィレットを有してもよいが、これに限定されない。
【００１７】
図１に示すように、本実施形態において、連結端部４４２、４４４は、それぞれ第１枠部材２００と第２枠部材３００に連結されて、第１枠部材２００及び第２枠部材３００の間の相対的な位置を固定する。例えば、第１枠部材２００は、第１係合溝２０２を有してもよく、第２枠部材３００は、第２係合溝３０２を有してもよい。連結端部４４２は、第１係合溝２０２に係合されることができ、連結端部４４４は、第２係合溝３０２に係合されることができる。従って、連結部材４００は、第１枠部材２００と第２枠部材３００とを連結することができる。一方、連結部材４００が第１枠部材２００及び第２枠部材３００にそれぞれ係合された後、連結部材４００の連結側板４３０の外側と、第１枠部材２００及び第２枠部材３００のそれぞれの外側とは位置合わせて配置され、即ち、連結側板４３０が第１枠部材２００及び第２枠部材３００から突出しない。これにより、太陽電池モジュールの一体性を維持することができ、安全性の要求を満たすほか、太陽電池モジュールの外観を高めることができる。勿論、本発明はこれに限定されない。
【００１８】
図１及び図２Ａを参照しながら説明する。一部の実施形態において、太陽電池パネル１００の少なくとも１つの隅は、連結部材４００の排水溝４０４によって露出される。言い換えれば、雨水は、排水溝４０４によって露出された隅に沿って排出されることができる。このように、太陽電池モジュールからの雨水の排出経路には、高低差（階段差）が生じないため、階段隙間へのホコリ堆積の問題を改善することができ、さらに、階段による雨水の流れの阻止を防止することができる。
【００１９】
ここで、図１における太陽電池モジュールは４つの連結部材４００を含むが、これに限定されないことが理解されたい。他の実施形態において、太陽電池モジュールは、第１枠部材２００と第２枠部材３００とを連結するための、少なくとも１つの連結部材４００を含んでもよい。また、連結部材４００による第１枠部材２００及び第２枠部材３００の間の連結態様は限定されず、適宜選択可能である。なお、第１枠部材２００及び第２枠部材３００の形状は、太陽電池パネル１００の実際の形状に応じて決定されてもよい。基本的には、太陽電池パネル１００を固定（太陽電池パネル１００の縁部を覆う）することが可能な第１枠部材２００及び第２枠部材３００の形状であれば、いずれも本発明の保護範囲に属するものとする。
＜第２実施形態＞
【００２０】
図３は、本発明の第２実施形態に係る太陽電池モジュールの斜視図である。太陽電池モジュールは、太陽電池パネル１００、少なくとも１つの第１枠部材２００、少なくとも１つの第２枠部材３００、及び少なくとも１つの連結部材４００を含む。第１枠部材２００及び第２枠部材３００は、いずれも太陽電池パネル１００の縁部に組み合わされる（縁部を覆う）。例えば、図３に示すように、太陽電池モジュールは、互いに対向して設置される一対の第１枠部材２００、及び互いに対向して設置される一対の第２枠部材３００を含んでもよい。連結部材４００は、第１枠部材２００と第２枠部材３００とを着脱可能に連結する。
【００２１】
図４乃至図５Ｂを参照しながら説明する。図４は、図３に示す連結部材４００の正面図であり、図５Ａは、図４に示す連結部材４００の組立後の正面図であり、図５Ｂは、図５Ａに示す連結部材４００の後面図である。詳細に、連結部材４００は、下翼板４２０、連結側板４３０、連結部４５０、及び２つの上翼板４１０を含む。２つの上翼板４１０の間には、隙間４１２が形成される。下翼板４２０は、２つの上翼板４１０に対向して設置される。連結側板４３０は、２つの上翼板４１０と下翼板４２０とを連結することで、２つの上翼板４１０及び下翼板４２０と共に収容溝４０２を規定する。連結側板４３０は、切欠き４３２及び少なくとも１つのコーナ４３４を有する。切欠き４３２は、隙間４１２と共に排水溝４０４を構成するように、コーナ４３４に位置して隙間４１２と連通する。連結部４５０は、少なくとも一部が収容溝４０２に配置されるとともに、第１枠部材２００と第２枠部材３００とを着脱可能に連結する。
【００２２】
図３及び図４を参照しながら説明する。具体的に、本実施形態の連結部材４００が排水溝４０４を有するため、太陽電池モジュールに付着されたホコリは、雨水によって排水溝４０４まで流され、さらに排水溝４０４に沿って雨水に伴って太陽電池モジュールから排出される。これにより、太陽電池モジュールを清潔に維持することができるほか、太陽電池パネル１００に入射した太陽光がホコリによって遮蔽されない。さらに、本実施形態の連結部材４００は、第１枠部材２００と第２枠部材３００とを着脱可能に連結するため、連結部材４００自身が破壊されたり、ホコリが連結部材４００の排水溝４０４に入り込んだりした場合でも、連結部材４００を第１枠部材２００及び第２枠部材３００から取り外して交換または洗浄するだけでよい。つまり、連結部材４００は着脱の利便性を有する。
【００２３】
図４に示すように、本実施形態において、連結部４５０は、少なくとも１つのコーナ４５６を有してもよい。連結部４５０のコーナ４５６は、連結側板４３０のコーナ４３４に隣接するように設置されてもよい。言い換えれば、連結部４５０のコーナ４５６と連結側板４３０のコーナ４３４とは位置を合わせて配置されている。さらに、連結側板４３０は、連結部４５０に隣接するように設置されるが、これに限定されない。基本的には、図３に示すように、連結部４５０の少なくとも一部を収容溝４０２に配置するとともに、連結部４５０によって第１枠部材２００と第２枠部材３００とを着脱可能に連結するものであれば、いずれも本発明の保護範囲に属するものとする。
【００２４】
引き続き図５Ｂを参照しながら説明する。本実施形態において、連結部材４００の連結側板４３０のコーナ４３４は、約９０度の交角θ１を有する。即ち、連結側板４３０はＬ字状に形成されてもよい。また、図３に示すように、太陽電池パネル１００が矩形体の場合、連結部材４００に連結される第１枠部材２００及び第２枠部材３００の両方の延び方向は、約９０度で交差する。言い換えれば、連結部材４００は、太陽電池パネル１００の隅（角部）に配置されてもよい。この場合には、雨水及びホコリが太陽電池パネルの隅から排除されることができる。一方、図５Ａに示すように、連結部４５０のコーナ４５６は、交角θ１に等しい交角θ２を有してもよい。即ち、交角θ２は、約９０度であるが、これに限定されない。
【００２５】
図５Ｂに示すように、一部の実施形態において、連結部材４００の２つの上翼板４１０は、隙間４１２に対して対称である。隙間４１２は、実質的に平行になる両側縁を有する。このため、連結側板４３０のコーナ４３４の交角θ１が約９０度の場合、隙間４１２の延び方向４０３と、上翼板４１０のいずれの一方と連結側板４３０との隣接線４０６とのなす角度は約４５度である。ここで、隙間４１２の態様は、図５Ｂに示す態様に限定されない。他の実施形態において、２つの上翼板４１０のいずれも矩形であってもよい。即ち、隙間４１２は、切欠き４３２に近づくにつれて幅が広くなる。こうなることで、上翼板４１０の一端が尖端部になることを防止することができる。さらに、上翼板４１０はフィレットを有してもよいが、これに限定されない。
【００２６】
図５Ａに示すように、本実施形態において、連結部４５０は、それぞれ収容溝４０２から延びて形成され、互いに対向する２つの端部４５２、４５４を有する。端部４５２、４５４は、それぞれ第１枠部材２００及び第２枠部材３００に連結されて、第１枠部材２００及び第２枠部材３００の間の相対的な位置を固定する。例えば、図３に示すように、本実施形態において、第１枠部材２００は、第１係合溝２０２を有してもよく、第２枠部材３００は、第２係合溝３０２を有してもよい。連結部４５０の端部４５２は、第１係合溝２０２に係合されることができ、連結部４５０の端部４５４は、第２係合溝３０２に係合されることができる。従って、連結部材４００は、第１枠部材２００と第２枠部材３００とを連結することができる。一方、連結部材４００が第１枠部材２００及び第２枠部材３００にそれぞれ係合された後、連結部材４００の連結側板４３０の外側と、第１枠部材２００及び第２枠部材３００のそれぞれの外側とは位置合わせて配置され、即ち、連結側板４３０が第１枠部材２００及び第２枠部材３００から突出しない。これにより、太陽電池モジュールの一体性を維持することができ、安全性の要求を満たすほか、太陽電池モジュールの外観を高めることができる。勿論、本発明はこれに限定されない。
【００２７】
図３及び図５Ａに示すように、一部の実施形態において、連結部材４００は、２つの上翼板４１０と下翼板４２０との間に設置され且つ連結側板４３０に連結される仕切板４６０をさらに含んでもよい。太陽電池パネル１００の一部は、連結部材４００の２つの上翼板４１０と仕切板４６０との間に設置される。
【００２８】
更には、太陽電池パネル１００の少なくとも１つの隅は、連結部材４００の排水溝４０４によって露出される。言い換えれば、雨水は、排水溝４０４によって露出された隅に沿って排出されることができる。このように、太陽電池モジュールからの雨水の排出経路には、高低差（階段差）が生じないため、階段隙間へのホコリ堆積の問題を改善することができ、さらに、階段による雨水の流れの阻止を防止することができる。
【００２９】
図５Ａに示すように、一部の実施形態において、連結部材４００は、仕切板４６０に連結される少なくとも１つの係合部４７０をさらに含んでもよい。連結部４５０は、係合部４７０によって収容溝４０２に着脱可能に設置される。上翼板４１０、下翼板４２０、連結側板４３０、仕切板４６０及び係合部４７０により、保護カバーが形成される。詳細に、図３に示すように、連結部材４００を第１枠部材２００及び第２枠部材３００に係合しようとする場合には、連結部４５０の端部４５２、４５４を、それぞれ第１係合溝２０２及び第２係合溝３０２に係合すればよい。連結部４５０を第１枠部材２００及び第２枠部材３００に固定した後、連結部材４００の保護カバーを連結部４５０に覆設してもよい。連結部４５０と係合部４７０との係合によって、保護カバーが連結部４５０に固定されることができ、連結部材４００の組立が実現される。
【００３０】
ここで、図３における太陽電池モジュールは４つの連結部材４００を含むが、これに限定されないことが理解されたい。他の実施形態において、太陽電池モジュールは、第１枠部材２００と第２枠部材３００とを連結するための、少なくとも１つの連結部材４００を含んでもよい。また、連結部材４００による第１枠部材２００及び第２枠部材３００の間の連結態様は限定されず、適宜選択可能である。なお、第１枠部材２００及び第２枠部材３００の形状は、太陽電池パネル１００の実際の形状に応じて決定されてもよい。基本的には、太陽電池パネル１００の縁部を覆うことが可能な第１枠部材２００及び第２枠部材３００の形状であれば、いずれも本発明の保護範囲に属するものとする。
【００３１】
以上、本発明の好ましい実施形態を挙げて説明したが、これは本発明の実施形態に過ぎない。説明した実施形態は、本発明の範囲を限定するものではないことが理解されたい。当業者であれば本発明の精神及び範囲を含む各種の変動や潤色は、本発明の保護を求める範囲内に属するものである。
【符号の説明】
【００３２】
１００          太陽電池パネル
２００          第１枠部材
２０２          第１係合溝
３００          第２枠部材
３０２          第２係合溝
４００          連結部材
４０２          収容溝
４０３          延び方向
４０４          排水溝
４０６          隣接線
４１０          上翼板
４１２          隙間
４２０          下翼板
４３０          連結側板
４３２          切欠き
４３４、４５６  コーナ
４４２、４４４  連結端部
４５０          連結部
４５２、４５４  端部
４６０          仕切板
４７０          係合部
θ１、θ２      交角
【図１】
2015104309.tif 000003
【図２Ａ】
2015104309.tif 000004
【図２Ｂ】
2015104309.tif 000005
【図３】
2015104309.tif 000006
【図４】
2015104309.tif 000007
【図５Ａ】
2015104309.tif 000008
【図５Ｂ】
2015104309.tif 000009